(57)【要約】      （修正有）【課題】自然法則を生かした正しいアドレスおよび、スイングを応援するゴルフ練習場の提供と、そのための練習器具・用具を提供する。【解決手段】練習者が立つ位置に配置された足場マットと、練習者の足幅とスイング中の方向・角度を確認できるように配置したスタンスシートがあり、前方の壁には体の捻転・回転を促す中心軸を確認できるように中心軸ラインを配置した。更に、練習者が立つ位置の左右の側面壁にスイングアーク（バックスイング・ダウンスイング及び、フォロー）のラインと練習者の前傾姿勢を示すラインが確認出来るように配置され、自然法則『黄金律、重力・引力』を生かしたスイングアークの角度ラインと前傾姿勢の角度ライン、中心軸ライン、ゴルファー各人の足幅の長さとトップ時とミート時の胸部と腰部の方向・角度ライン、さらに、足場マットでの立ち位置を示すラインが示されていることを特徴とするゴルフ練習場によって解決される。【選択図】図１４
2020146422.tif 000002
【特許請求の範囲】
【請求項１】
練習者が立つ位置に配置された足場マットと、練習者の足幅とスイング中の方向・角度を確認できるように配置したスタンスシートがあり、前方の壁には体の捻転・回転を促す中心軸を確認できるように中心軸ラインを配置し、練習者が立つ位置の左右の側面壁にスイングアーク（バックスイング・ダウンスイング及び、フォロー）のラインと練習者の前傾姿勢を示すラインが確認出来るように配置され、黄金律（比率）、重力・引力を生かしたスイングアークの角度ラインと前傾姿勢の角度ライン、中心軸（捻転・回転）ライン、ゴルファー各人の足幅の長さ（定規）とトップ時とミート時の胸部と腰部の方向・角度ライン、さらに、足場マットでの立ち位置を示すラインが示されていることを特徴とするゴルフ練習設備。
【請求項２】
ゴルフ練習者の左右に配置する一対のスイング矯正シートを含み、前記一対のスイング矯正シートの表面にスイングアークの角度のラインを表示し、右側面に配置する前記スイング矯正シートには前傾姿勢の角度がわかる細ラインも入れて正しい前傾姿勢と正しく安定したスイングアークが出来るように前記スイングアークの角度及び前記前傾姿勢の角度が、黄金律によって決定されていることを特徴とするゴルフ練習用具。
【請求項３】
ゴルフ練習者の前面に配置する中心軸スイング矯正シートを含み、前記中心軸スイング矯正シートには、スイング中の捻転・回転の際に左右にスエ―（重心移動）しないように中心軸を示す太線ラインを入れて、より安定したスイングができるようにしたゴルフ練習用具。
【請求項４】
ゴルフ練習者の足元に配置するスタンスシートを含み、前記スタンスシートの表面にスイング中のトップ時とミート時の胸部と腰部の方向がわかる太線ラインと、黄金律で決められる自分の足幅を合わせられる定規が表示され、前記太線ラインの角度は黄金律で決定されていることを特徴とするゴルフ練習用具。
【請求項５】
ゴルフ練習者の足幅に配置する足場マットを含み、前記足場マットには、スイング中のトップ時とミート時の胸部、腰部の方向・角度を示す凹凸ラインが設けられおり、前記凹凸ラインの角度は黄金律で決定されていることを特徴とするゴルフ練習用具。
【発明の詳細な説明】
【技術分野】
【０００１】本発明は、宇宙や地球を支配している自然法則『黄金律』の黄金比率（１対１、６１８０３３９８８７・・）、重力、引力の持つ特徴を、ゴルフ上達のための練習指導に生かし、上達の為の練習場・スタジオづくりで、コーチいらずの短期間で容易に上達するゴルフ練習場の設計・設備用具である。
【背景技術】
【０００２】これまで、ゴルフ人口は最大１６００万人。現在は６００万人に減少し続けている。
これらは、ゴルフ上達の為の指導法が自己流でなかなか上達しないのが原因。【０００３】ゴルフ指導者自身が自己流ゴルフで練習や試合を重ねて、上手く（つまり、ヘタウマ）なったり、試合で勝ったプロゴルファーのスイングを真似したり、スイングをコンピュータ分析して、いかにもこれが正しいゴルフスイング理論だ、と言って指導しており、まさに、世界中のゴルフ指導者が自己流ゴルフを半強制した指導がヘタウマ  ゴルファーを生んで、なかなか上達しないのが実情、といっても過言ではない。【０００４】ところが、世界的規模でゴルフ普及の歴史の中でゴルフ上達の基本という構造運動学的な研究が全く遅れて、特に、自然法則の黄金律（比率）はじめ、重力・引力など、自然の作用を無視し続けた結果といえる。【０００５】上記、従来の練習指導や方法とか、従来のゴルフ練習場（スタジオ）では、こうした問題を完全に解決することは不可能である為、前記の問題点を完全に解決する新規な発明が要望されていた。
【先行技術文献】
【特記文献】
【０００６】
【特記文献】
特開２０１５−１３４１８９
【発明の概要】
【発明が解決しようとする課題】
【０００７】本発明の課題は、自然法則を生かした正しいアドレスおよび、スイングを応援するゴルフ練習場（スタジオ）の提供と、そのための練習器具・用具を提供することにある。
【課題を解決するための手段】
【０００８】上記の課題は、練習者が立つ位置に配置された足場マットと、練習者の足幅とスイング中の方向・角度を確認できるように配置したスタンスシートがあり、前方の壁には体の捻転・回転を促す中心軸を確認できるように中心軸ラインを配置した。さらに、練習者が立つ位置の左右の側面壁にスイングアーク（バックスイング・ダウンスイング及び、フォロー）のラインと練習者の前傾姿勢を示すラインが確認出来るように配置され、自然法則『黄金律（比率）、重力・引力』を生かしたスイングアークの角度ラインと前傾姿勢の角度ライン、中心軸（捻転・回転）ライン、ゴルファー各人の足幅の長さ（定規）とトップ時とミート時の胸部と腰部の方向・角度ライン、さらに、足場マットでの立ち位置を示すラインが示されていることを特徴とするゴルフ練習設備によって解決される。【０００９】更に、上記の課題は、ゴルフ練習者の左右に配置する一対のスイング矯正シートを含み、前記一対のスイング矯正シートの表面にスイングアークの角度のラインを表示し、右側面に配置する前記スイング矯正シートには前傾姿勢の角度がわかる細ラインも入れて最適な前傾姿勢と最適で安定したスイングアークが出来るように前記スイングアークの角度及び前記姿勢の角度が、黄金律によって決定されていることを特徴とするゴルフ練習用具によって解決される。
更に、上記の課題は、ゴルフ練習者の前面に配置するスイング矯正シートを含み、前記スイング矯正シートには、スイング中の捻転・回転の際に左右にスエ―（重心移動）しないように中心軸を示す太線ラインを入れて、より安定したスイングができるようにしたゴルフ練習用具によって解決される。【００１０】更に、上記の課題は、ゴルフ練習者の足元に配置するスタンスシートを含み、前記スタンスシートの表面にスイング中のトップ時とミート時の胸部と腰部の方向・角度がわかる太線ラインと、黄金律で決められる自分の足幅を合わせられる定規が表示され、前記太線ラインの角度は黄金律で決定されていることを特徴とするゴルフ練習用具によって解決される。【００１１】更に、上記の課題は、ゴルフ練習者の足元に配置する足場マットを含み、前記足場マットには、スイング中のトップ時とミート時の胸部、腰部の方向・角度を示す凹凸ラインが設けられおり、前記凹凸ラインの角度は黄金律で決定されていることを特徴とするゴルフ練習用具によって解決される。【００１２】自然法則『黄金律』（比率）重力・引力を生かしたゴルファー『各人の足幅の長さ』、『前傾姿勢の角度』、『トップ時とミート時の胸部と腰部の方向・角度』、『スイングアークの角度』を解明し、上達を引き出す特徴を持つゴルフ練習場、及び、練習場に必要な設備器具、及びそうした練習に必要な用具の課題が要望されていた。【００１３】本発明者は、前記課題を解決すべく鋭意研究の結果、下記構成の本発明によって従来の技術の課題を解決することに成功した。
（１）宇宙や地球上を支配している黄金律（比率）、重力・引力の作用を生かした、ゴルフスイングの基本であるスタンスの
▲１▼  各人の足幅の長さ、
▲２▼  前傾姿勢の角度、
▲３▼  中心軸の捻転・回転
▲４▼  スイングアークの角度、
▲５▼  トップ時とミート時の胸部と腰部の方向・角度
を解明し、安定したゴルフ練習で、より早く、より確実に、上達（スコア  アップ）する事を特徴とする。
（２）本発明は、『各人の足幅の長さ』、『前傾姿勢の角度』、『スイングアークの角度』の解明により、ゴルフ指導を従来の指導法とは全く異なる確実な方法でより安定性を高め、より技術を高め、上達を大幅に短縮した。【００１４】つまり、従来は、プロライセンスを持った指導者自身が自己流で上手くなり、
例えば、
▲１▼  足幅はこの位（肩幅位とか、肩幅より少し広め位に）
▲２▼  前傾姿勢はこの位（赤ちゃんをおんぶした位の角度）
▲３▼  スイング角度はこの位（肩と首の間位とか、素振りをしている角度位）
と、この位、この位、この位と、とても曖昧で、正確で学術的な正確な長さや角度を教えられない（解明されていない）為に、上達を遅らせているのが起因しているといえる。【００１５】事実、ツアープロでも止まっているボールを打てなくなること（イップス病）はもちろん、一般ゴルファーのほとんどが悩む問題点で、上達を甚だしく遅らせているといっても過言ではない。
本発明は、自然法則の黄金律、重力・引力を生かした、新しいゴルフ理論に基づいたゴルフ練習場（室内外）の設計と、それに必要な用具を発明した。
【発明の効果】
【００１６】以上に説明した通り本発明によると、自然の法則、『黄金律、重力・引力』、を生かしたゴルフ上達の新理論と、それに基づいたコーチいらずのゴルフ練習場の提供（設計）で、ゴルフが容易に上達できる仕組み（理論と指導法・練習場）が可能となり、技術の上達はもちろん、老若男女の新規のゴルフファンの参入で、ゴルフ人口減少の問題をも解決できる。【００１７】また、本発明は、移動型としても制作普及させて凡庸性に優れており、なおかつ、自然の法則に基づいているために、技術指導・訓練の標準化を可能にする効果が大きい。【００１８】本発明の指導効果と成果を下記に説明する。以下は、秘密保持を義務付けて、本発明による効果を確認したものである。
すでに自己流ゴルフで練習や試合を重ね、中級位の人、１０名に黄金法則の一部を１回〜数回の指導をした。うち、Ａ氏は、「週２回河川コースに通っているけど、この１年でスコア１００切りは２回のみ」という４０歳の男性。わずか１回の指導（アドバイス）で９０台前半を、２回目の指導で８０台を、そして３回目のアドバイスを受けた後のコンペでベストスコアを出し、私に『先生、○○大臣のコンペでベスグロ・７６を達成しました。ホントにありがとうございました』と。発明者で指導した私が驚いた。
次に，Ｂ氏（４０歳代）は、ほんのわずか１５分〜２０分位の黄金ゴルフ理論のスイング指導で、いつもスコア１００以上のスコアが１０打以上縮まった、と。また、さらに、ハーフ４０をも記録したと大喜び。Ｂ氏は『この黄金理論ＹＯＵ−ＢＯ（商標登録済）指導は本物だ！』と叫び、その後、周囲にアピールしている。
さらに、Ｃ氏（６０歳代）は、週１回のゴルフコンペの会員になっている６０歳代の男性。わずか３〜４回の黄金ゴルフ指導・アドバイスを受けただけで、これまでこのコンペの会で優勝経験ゼロだったのに、いきなりコンペ連続２回の優勝を果たし、発明者の私に「かこいさん、ほんとに、ほんとにありがとうございます。スゴイです。」と、絶賛。このコンペの代表幹事の方に「み〜んなに教えてほしい」と嘆願されているほど。
さらにまた、他のスコア９０〜１００前後の方々の自己流ゴルフによる個性の強い不安定なスイングが、１〜２回の指導・アドバイスですべて、即座に、スイングがシンプルにきれいなゴルフスイングになり、「スコアもスイングも安定したゴルフになりました」と口をそろえている。【００１９】これらは、『黄金理論』、『足幅の長さ』、『前傾姿勢の角度、『スイングアークの角度』を確かな数字で指導し、自己流スイングをその場で正しく矯正し、さらに、自然法則の重力・引力を加えた、『中心軸の捻転・回転』『トップ時とミート時の胸部と腰部の方向・角度』のアドバイスをするだけで、ゴルフ人生を変えてしまうほどの、劇的にスイング姿勢が良くなり、上手に上達の一歩を歩くようになっている。
正しい練習理論は、上達を最短にしてくれることを証明している、と言える。
【図面の簡単な説明】
【００２０】
【図１】木の枝の黄金律（比率）のフローシート
【図２】葉っぱの黄金律（比率）のフローシート
【図３】ヒマワリの花の黄金律（比率）のフローシート
【図４】オウム貝の黄金律（比率）のフローシート
【図５】人間の手指関節の長さの黄金律（比率）のフローシート
【図６】ピラミッドの黄金律（比率）のフローシート
【図７】パルテノン神殿の黄金律（比率）のフローシート
【図８】凱旋門の黄金律（比率）のフローシート
【図９】ミロのビーナスの黄金律（比率）のフローシート
【図１０】モナ・リザの黄金律（比率）のフローシート
【図１１】『各人の足幅の長さ』のフローシート
【図１２】『前傾姿勢の角度』のフローシート
【図１３】『スイングアークの角度』のフローシート
【図１４】『上達するゴルフ練習場立体モデル』のフローシート
【図１５】室内練習場のフローシート
【図１６】屋外練習場のフローシート
【図１７】左壁則面のフォローライン（太線）
【図１８】左壁側面のフォロー角度の太線
【図１９】左壁側面のフォロー角度・黄金角度２１度（Ｘ）
【図２０】右壁則面のバックスイング、ダウンスイングライン（太線）と前傾姿勢のライン（細線）
【図２１】右壁側側面の太線
【図２２】右壁側側面の太線の角度・黄金角度２１度（Ｘ）
【図２３】右壁側側面の前傾姿勢角度の細線
【図２４】右壁側側面の前傾姿勢角度・黄金角度４２度（Ｘ）
【図２５】練習場の前面の壁／中心軸を示すライン
【図２６】練習場の前面の壁／中心軸の捻転・回転を示す人体図形
【図２７】床面・スタンスシート／トップ時（右）とミート時（左）の胸部・腰部の方向・角度を示す太線ライン２１，２２と足幅用の定規２３  ２１スタンスシート／トップ時の胸部・腰部の方向・角度（右側・黄金角度４２度）  ２２スタンスシート／ミート時の胸部・腰部の方向・角度（左側の黄金角度４２度）  ２３スタンスシート／足幅用の定規
【図２８】床面・足場マット／胸部・腰部の黄金角度の凹凸ライン入りフローシート  ２４足場マット／右上から左下へのライン（トップ時の胸部・腰部の方向角度４２度）  ２５足場マット／左上から右下へのライン（ミート時の胸部・腰部の方向角度４２度）
【図２９】ゴルフ用品とコンパクト包装の説明図  （Ａ）左右に配置する一対のスイングアーク矯正シート７、８  （Ｂ）左右に配置する一対のスイングアーク矯正シートセットのコンパクト包装２６
【図３０】ゴルフ用品とコンパクト包装の説明図  （Ａ）前面に配置する中心軸スイング矯正シート９  （Ｂ）前面に配置する中心軸スイング矯正シートのコンパクト包装２７
【図３１】ゴルフ用品とコンパクトに包装の説明図  （Ａ）足元に配置するスタンスシート（１５，１６，１７）  （Ｂ）足元に配置するスタンスシートのコンパクト包装２８
【図３２】ゴルフ用品とコンパクトに包装の説明図  （Ａ）足場に配置する足場マット１０  （Ｂ）足場に配置する足場マットのコンパクト包装２９
【発明を実施するための形態】
【００２１】  本発明は、あらかじめ、まず、地球人や生物はすべてここでいうナゾの自然法則、『黄金律（比率）』で支配されており、地球人や生物はこの『黄金律（比率）』を無視しては生きられない。また、人間は、重力に支配され、地球は引力（遠心力）などの作用が働いており無視しては生きられない。
と同時に、ゴルフ上達には、このことが不可欠であるといえる。
以下、自然法則、黄金律（比率）による自然界の実例のフローシート、図１、図２、図３、図４、図５を下記に説明する。
【００２２】例えば、日頃、毎日見ている自然界の植物の成長過程で木の枝、図１に示した通り、木の枝の成長の角度をＡ，Ｂ，Ｃとすると、
2020146422.tif 000003
2020146422.tif 000004
【００２３】このように、先人たちは、この美しい野山や海川などの自然界を支配している黄金律（比率）の持つ、１．安定性と、２．美しさを早くから建築物や日常雑貨などに応用して生かしている。
以下、自然法則、黄金律（比率）を応用した代表的な建築物や芸術物などの実例を、図６、図７、図８、図９、図１０で、下記に説明する。
【００２４】例えば、自然法則、黄金法則の応用で代表的なものがエジプトのピラミッド図６をＡ、Ｂ，で示すと、ピラミッドの高さＡと横幅Ｂの比率がＡ：Ｂ＝１：１．６１８で、黄金律である。
次に、ギリシャのパルテノン神殿（図７）をＡ，Ｂ，で示すと、パルテノン神殿の高さＡと横幅Ｂの比率がＡ：Ｂ＝１：１．６１８で黄金律である。
次の、パリの凱旋門をＡ，Ｂ，で示すと、アーチの高さＡと全体の高さＢの比率がＡ：Ｂ＝１：１．６１８で黄金比である。
ほかにも、日常のノートや書籍などの紙製品とか、家庭電化製品なども黄金比率が応用されて出来ている。
さらに、ミロのビーナス図９の絵でもヘソを中心に、黄金律で描かれている。ヘソから頭までの長さをＡ，ヘソまでの高さをＢで示すと、その比率がＡ：Ｂ＝１：１．６１８の黄金律である。
そして、モナ・リザ図１０の絵でもＡとＢで示すと、顔の横Ａと縦Ｂの比率がＡ：Ｂ＝１：１．６１８の黄金律で描かれている。
又、風景画を描いたり、風景写真を撮るときに縦横を黄金比率（１：１．６１８）で撮影すると、とてもきれいに仕上がるとも言われている。
以上、本発明のフローシート  図６、図７、図８、図９、図１０で示した。
【００２５】このように、人間は、黄金比率で支配されている植物や生物などを日常的にみているために、黄金律（比率）で構成されているものは、もっとも健固（安定度）で、もっとも美しい、という感覚を脳内にインプットされているのだと考えられる。
【００２６】つまり、地球人や生物はこの黄金律（比率）や重力・引力を無視しては生きられない、というより逆らえない、といえる。
これに  ▲１▼気づくことと、▲２▼生かすことが大切だと思われる。
そこで、『黄金律や重力・引力』を生かし、各種の運動で『ゴルフ上達理論』として利用しない手はないと考えて、構造運動学見地から解析研究するに至った。
【００２７】本発明の実施の形態を以下に説明する。
ゴルフは、安定度と飛距離を争うゲーム。
従来のゴルフ指導では、“スタンス“は基本と言いながら、世界中のアマチュアゴルファーはもちろん、多くのプロゴルファーでも例えば、▲１▼狭い足幅、▲２▼角度の少ない（又は深い）前傾姿勢、▲３▼野球のスイングに似た横振りスイングだったり、極端な縦振りスイングだったり、とそのスイングはとても無駄・無理な動きがみられる。又、両腕や肩を回すことを意識するあまり、カラダ全体を右に左に（スエ―して）動き過ぎであったり、又、より飛ばそうと思うあまりリズムを取ろうと左足かかとを思い切り上げて上下左右にスエ―するといった不安定な動きが多過ぎて自己流ゴルフを助長しているのが実情で、いかにしたら安定したスタンスでスイングできるのか、といった課題をかかえていた。
【００２８】本発明は、ゴルファーのこうした不安定度を最小限に解消するためのゴルフスイング理論、つまり、安定したスタンスで、安定したスイングでよりスコアを伸ばす黄金律（比率）が存在する、ということに着目、３つの『黄金ゴルフ理論』
１．各人の足幅（長さ）の法則（図１１は、各人の足幅の法則、のフローシート）
２．前傾姿勢（角度）の法則（図１２は、前傾姿勢（角度）の法則のフローシート）
３．スイングアーク（角度）の法則（図１３は、スイング角度のフローシート）
を確かな数字で解明したことで、より安定度の高い、より飛距離やスコアを伸ばすゴルフスイング練習が可能となり、ゴルフが早く上達して、楽しいスポーツになるキッカケを作ることが可能となった。
【００２９】従来、ゴルフ指導は、屋外のゴルフ練習場や、室内のゴルフスタジオで行われているものの、ただボールを打つだけ（文字通り、打ちっぱなし）。又、打った後の本人の記録や結果（方向・飛距離）だけをコンピュータ―化して報告指導しているのが実情で、自己流ゴルフでの解決には程遠いのが実情。
【００３０】次に、本発明は、黄金律（比率）、重力・引力を生かしたものでその実施例を図面に基づいて具体的に説明する。
【００３１】１．まず、自分だけの『足幅の長さ』（図１１）により、以下に説明する。
図１１は、黄金律（比率）、足幅の長さのフローシートである図中、１はゴルフプレーヤー、２はヘソの位置、３は中心軸点、４は足の位置、５―Ａは足幅の長さ、５―Ｂはヘソの高さを示す。
従来のゴルフ指導では、『足幅は、肩幅位とか肩幅より少し広め位とか、この位、この位、この位と、とても曖昧なのが世界的な指導常識となっている。
例えば、身長が２メートルの人と、１メートル５０センチの人の足の幅が肩幅位で同じでは安定性が欠けていておかしいのは明らか。
足幅が同じでは、スイングの安定度が一緒とは言えない。いくらプロといえども足幅の長さが不確定で狭かったり広すぎたりでは最大の能力を発揮することは不可能。
【００３２】ゴルフは安定度が最も要求されるスポーツ。
スタンスが安定することで、▲１▼より真っすぐ、▲２▼より正確に、▲３▼かつ遠く、飛ぶことが約束されるといえる。
つまり、スタンス幅は、人それぞれ『自分だけの安定スタンスの幅○○ｃｍ』があって、より安定度の高い美しいスイングが可能となる、といえる。
【００３３】人間の身体は上半身と下半身に分かれる。その中心はヘソ（又は腰）。イスに座り左右の肩を回すと良くわかる。これはゴルフスイングの基本。中心軸を中心にヘソから上だけが捻られ、座って捻転すると中心軸がよくわかり、同時に全く左右にスエ―しないことがわかる。
ゴルフスイングでは下半身の安定が第一。下半身は動かざること山のごとく、下半身をしっかりと固定（安定）することで、中心軸の捻転・回転が安定することが良くわかる。
人間の身体の中心は、ヘソ（又は、腰の高さ。）下半身で重力を支えるために中心であるヘソ（腰）の高さに対して黄金律（比率  １：１．６１８）が働くと考えられる。以下、足幅の長さ（図１１）をＸ，Ｙで示し、説明する。
Ｙ＝自分のヘソの高さ、Ｘ＝自分の足幅の長さとした場合、
2020146422.tif 000005
【００３４】２、次に、『前傾姿勢の最適角度』を、図１２により、以下に説明する。
図１２は、黄金律（比率）前傾姿勢の最適角度のフローシートである図中、６はプレイヤーの前傾姿勢の角度である。
スタンスは、安定性が重要。
下半身の安定性は、植物と同じように上半身（幹）を支えている下半身（根っこは地下）にかかっている。
従って、前傾姿勢は３６０度に対する黄金律（比率）が成立する。
Ｘ＝前傾角度
2020146422.tif 000006
【００３５】３．次に、『スイングアークの最適角度』を図１３により、以下に説明する。
図１３は、スイングアークの最適角度のフローシート
スイングは、地平線上（空間）の行為。
重力と引力（遠心力）を生かすことで、飛距離を伸ばすヘッドスピードを最大限に引き出すことが可能。
従って、１８０度の黄金律（比率）が成立する。
Ｘ＝スイングアークの角度
2020146422.tif 000007
【００３６】以上を解明し、以上について指導を行ったところ、１０人のパネラで行った結果、全員のスイングの・安定性、・美しさ・ミートの確実さ、が劇的に向上したと同時に、スコアーアップはもちろん、『ゴルフの練習やコース入りが楽しくなった』と回答した。
全員の回答者が『ゴルフを始めてほんとに良かった。これまでの練習は何だったのか、ショック。だけど、この自然法則の黄金ゴルフは本物だ』と答えた。
次に、請求項１の黄金法則を生かした、上達するゴルフ練習場立体モデルを図１４により、下記に説明する。
【００３７】黄金法則を生かしたゴルフ練習場モデル
練習者が立つ位置に配置された足場マットと、練習者の足幅とスイング中の最適方向・角度を確認できるように配置したスタンスシートがあり、前方の壁には体の捻転・回転を促す中心軸を確認できるように中心軸ラインを配置し、練習者が立つ位置の左右の側面壁にスイングアーク（バックスイング・ダウンスイング及び、フォロー）のラインと練習者の最適前傾姿勢を示すラインが確認出来るように配置され、黄金律（比率）、重力・引力を生かしたスイングアークの最適角度ラインと前傾姿勢の最適角度ライン、中心軸（捻転・回転）ライン、ゴルファー各人の足幅の長さ（定規）とトップ時とミート時の胸部と腰部の最適方向・角度ライン、さらに、足場マットでの立ち位置を示すラインが示されていることを特徴とするゴルフ練習設備付き練習場。
図１４において、
４は、足の位置（左右）
７は、スイングアーク矯正シート
右壁は、バックスイング、ダウンスイングのライン１２（太線）と前傾姿勢のライン１１（細線）入りシート。尚、細線は図２０で後述する。
８は、スイングアーク矯正シート
左壁は、フォローライン１３（太線）入りシート。
９は、前面壁は、中心軸のライン入り１４シート
１０は、床面・足場マット１０
足場マットは、トップ時１５とミート時１６の胸部と腰部の方向・角度の凹凸ライン入り。（図３１で詳述する）
１１は、右側面の前傾姿勢の細線ライン
１２は、右側面のバックスイング、ダウンスイングの太線ライン
１３は、左側面のフォローライン太線
１４は、前壁中心軸ライン
１５は、スタンスシート・トップ時の腰部、胸部の方向、角度を示すライン
１６は、スタンスシート・ミート時の腰部、胸部の方向、角度を示すライン
１７は、スタンスシート・足幅の為の定規入り（図２７で後述する）
本発明は、凡庸性に優れており、練習場以外でもどこでも練習できるように、移動型としてコンパクトにして持ち運び出来るよう制作普及させることが可能な上、コンパクトセットとして販売できることも可能となる。
先ず、請求項２のゴルフ練習者の左右の壁に配置する一対のスイングアーク矯正シート７、８とそのコンパクト包装２６、請求項３の練習者の前面に配置する中心軸スイング矯正シート９とそのコンパクト包装２７、さらに、請求項４のスイング中のトップ時とミート時の胸部と腰部の最適方向・角度がわかる足元に配置するスタンスシート１５，１６と足幅用の定規１７とその包装２８を、更に又、足場に配置する足場マット１０と、その包装２９からコンパクトセットが構成される。
次に、ゴルフ練習設備・用具の使用素材を説明する。
請求項２の図１４ゴルフ練習者の左右に配置する一対のスイングアーク矯正シート７、８の素材は、鏡のほか、布製、ビニール製、木製、紙製、又は紐などで応用できる。請求項３の図１４ゴルフ練習者の前面に配置する中心軸スイング矯正シート９の素材は、鏡のほか、布製、ビニール製、紙製、木製、又は紐を応用できる。
又、請求項４の図１４ゴルフ練習者の足元に配置するスタンスシート（１５，１６，１７）の素材は、ゴム製、ビニール製、布製、木製、又は紙製でも応用できる。更に、請求項５の図１４ゴルフ練習者の足元に配置する足場マット１０は、ゴム製、ビニール製の他、布製、紙製でも応用できる。
以下、ゴルフ練習場モデルの符号の簡単な説明
４は、図１４の足場マットの足位置
７は、図１４の右側面壁
８は、図１４の左側面壁
９は、図１４の前面壁
１０は、図１４の床面・足場マット
１１は、図１４の右側面壁の前傾姿勢  細線ライン
１２は、図１４の右側面壁７のバックスイング・ダウンスイングの太線ライン
１３は、図１４の左側面壁８のフォローライン太線
１４は、図１４の前面壁の中心軸ライン
本発明のゴルフ練習設備のユニットは以上の構成からなる。
更に、図１５は、請求項１の黄金法則を生かした、上達するゴルフ練習場モデルを室内用に繰り返し並べる応用が可能。図１４のユニットを複数配置して、それを壁１８で仕切る。図１４のユニットをスイングアーク矯正シート７、８と前面壁９は壁１８に表示されている。
又、図１６は、屋外用として図１４のユニットをさらに繰り返し並べた例である。
【００３８】次に、請求項２のゴルフ練習者の左右に配置する一対のスイングアーク矯正シートを図１７、図２０により、下記に説明する。
ゴルフ練習者の左右に配置する一対のスイングアーク矯正シート７，８を含み、前記一対のスイングアーク矯正シートの表面にスイングアークの最適角度のライン１２、１３を表示し、右側面に配置する前記スイングアーク矯正シートには前傾姿勢の最適角度がわかる細ライン１１も入れて最適な前傾姿勢と最適で安定したスイングアークが出来るように前記スイングアークの最適角度及び前記前傾姿勢の最適角度が、黄金律によって決定されていることを特徴とするゴルフ練習用具。
素材は、鏡のほか、紙・ビニール・木製又は紐などを応用しても効果的。
左壁（図１７）（図１８）（図１９）を、Ａ，Ｂ，Ｃ，Ｘで示して説明する。
左壁（図１７）は、スイング・フォローライン１３シート（太線）
スイングは、地平線上（空間）の行為。重力と引力（遠心力）を生かすことで、飛距離を伸ばすヘッドスピードを最大限に引き出すことが可能。
従って、１８０度の黄金律（比率）が成立する。
スイングアーク・フォローの最適角度
2020146422.tif 000008
バックスイング・ダウンスイングアークの最適角度と、前傾姿勢の最適角度
右壁  図２０、図２１、図２２、図２３、図２４を、Ａ，Ｂ，Ｃ，Ｘで示し説明する。
右壁  図２０は、スイングのバックスイング・ダウンスイングライン１２（太線）、前傾姿勢角度ライン１１（細線）入りシート
図２１は、バックスイング・ダウンスイングアーク角度を示す、２１度の太線ライン１２（右上から左下ライン）
2020146422.tif 000009
2020146422.tif 000010
【００３９】次に、請求項３のゴルフ練習者の前面に配置する中心軸スイング矯正シートを図２５により、下記に説明する。
ゴルフ練習者の前面に配置する中心軸スイング矯正シートを含み、前記スイング矯正シートには、スイング中の捻転・回転の際に左右にスエ―（重心移動）しないように中心軸を示す太線ライン１４を入れて、より安定したスイングができるようにしたゴルフ練習用具。素材は、鏡のほか、紙・ビニール・木製、又は紐を応用利用しても効果的。
続いて、図２６は、中心軸点３、練習者の中心軸１９、・捻転・回転２０を示す。
【００４０】次に、請求項４のゴルフ練習者の足元に配置するスタンスシートを図２７により、下記に説明する。
ゴルフ練習者の足元に配置するスタンスシートを含み、前記スタンスシートの表面にスイング中のトップ時とミート時の胸部と腰部の方向がわかる太線ライン２１、２２と、黄金律で決められる自分の最適な足幅を合わせられる定規２３が表示され、前記太線ライン２１、２２の角度は黄金律で決定されていることを特徴とするゴルフ練習用具。素材は、ゴム製、ビニール製、布製、木製、又は紙製でも応用できる。
太線ライン２１，２２の角度をＡ，Ｂ，Ｃ，Ｘで示して説明する。
図２７は、スイング中のトップ時の胸部と腰部の方向・角度を示すラインを右上から左下への太線ライン２１で示し、一方、ミート時の胸部・腰部の方向・角度ライン２２を左上から右下への太線ラインで示し、２１、２２をＡ，Ｂ，Ｃ，Ｘで示し、下記に説明する。
2020146422.tif 000011
2020146422.tif 000012
次に、黄金律で決められる自分の最適な足の幅を合わせる定規２３で示した左右５０ｃｍを記入した定規で、足幅最大１００ｃｍとした。
【００４１】次に、請求項５のゴルフ練習者の足幅に配置する足場マット図２８を含み、前記、足場マットにはスイング中のトップ時とミート時の胸部・腰部の最適方向・角度を示す凹凸ラインが設けられており、前記、凹凸ラインの角度は黄金律で決定されていることを特徴とするゴルフ練習用具。
足場マットの２４，２５をＡ，Ｂ，Ｃ，Ｘで示して説明する。
2020146422.tif 000013
【００４２】本発明のゴルフ用具セットのコンパクト包装について、図２９から図３２により説明する。
図２９（Ａ）に示すスイングアーク矯正シート７，８はそれぞれシートを丸めて（Ｂ）に示すように、コンパクト包装２６により包装する。
図３０（Ａ）の中心軸スイング矯正シート９も同様に（Ｂ）に示すように、丸めてコンパクト包装２７により包装することができる。
図３１（Ａ）のスタンスシート１０も同様に（Ｂ）に示すように、丸めてコンパクト包装２８により包装することができる。
図３２（Ａ）の足場マット１１も同様に（Ｂ）に示すように、丸めてコンパクト包装２９により包装することができる。
このように、本発明のゴルフ用具は、コンパクトに包装し、容易に運搬することができる。
【符号の説明】
【００４３】  １は、ゴルフプレーヤー
２は、ヘソの位置
３は、中心軸点（地面）
４は、各人の足の位置（左右）
５は、５Ａは足幅の長さ、５Ｂはヘソの高さ
６は、プレイヤーの前傾姿勢の角度
７は、ゴルフ練習場の右側面壁
８は、ゴルフ練習場の左側面壁
９は、前面壁（中心軸ライン入り）
１０は、床面・足場マット
１１は、右側面の前傾姿勢ライン細線
１２は、右側面壁のバック・ダウンスイングライン太線
１３は、左側面壁のフォローライン太線
１４は、前面壁の中心軸ライン
１５は、スタンスシート・トップ時の腰部・胸部の方向・角度を示すライン
１６は、スタンスシート・ミート時の腰部・胸部の方向を示すライン
１７は、スタンスシート・足幅用の定規
１８は、図１４を複数造る際の仕切り壁
１９は、ゴルファーの中心軸線
２０は、ゴルファーの中心軸  捻転・回転を示す
２１は、図２７のトップ時の胸部・腰の方向・角度を示すラインとその黄金比率図
２２は、図２７のミート時の胸部・腰の方向・角度を示すラインとその黄金比率図
２３は、図２７の各人の足幅用の定規
２４は、足場マットのトップ時の胸部・腰部の方向・角度ラインとその黄金比率図
２５は、足場マットのミート時の胸部・腰部の方向・角度ラインとその黄金比率図
２６は、左右一対のスイングアーク矯正シートのコンパクト包装セット
２７は、中心軸スイング矯正シートのコンパクト包装セット
２８は、スタンスシートのコンパクト包装セット
２９は、足場マットのコンパクト包装セット
【図１】
2020146422.tif 000014
【図２】
2020146422.tif 000015
【図３】
2020146422.tif 000016
【図４】
2020146422.tif 000017
【図５】
2020146422.tif 000018
【図６】
2020146422.tif 000019
【図７】
2020146422.tif 000020
【図８】
2020146422.tif 000021
【図９】
2020146422.tif 000022
【図１０】
2020146422.tif 000023
【図１１】
2020146422.tif 000024
【図１２】
2020146422.tif 000025
【図１３】
2020146422.tif 000026
【図１４】
2020146422.tif 000027
【図１５】
2020146422.tif 000028
【図１６】
2020146422.tif 000029
【図１７】
2020146422.tif 000030
【図１８】
2020146422.tif 000031
【図１９】
2020146422.tif 000032
【図２０】
2020146422.tif 000033
【図２１】
2020146422.tif 000034
【図２２】
2020146422.tif 000035
【図２３】
2020146422.tif 000036
【図２４】
2020146422.tif 000037
【図２５】
2020146422.tif 000038
【図２６】
2020146422.tif 000039
【図２７】
2020146422.tif 000040
【図２８】
2020146422.tif 000041
【図２９】
2020146422.tif 000042
【図３０】
2020146422.tif 000043
【図３１】
2020146422.tif 000044
【図３２】
2020146422.tif 000045